【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
円形状ディスク体で、ディスク周方向に沿って設けられたトラックの中心からディスク径方向の一方側にずれて設けられた第１のピット列と、前記トラックの中心からディスク径方向の他方側にずれて設けられた第２のピット列とを有する光ディスクに対して、光ビームを照射して、前記光ディスクに記録されている情報を再生信号として検出する再生信号検出器と、
前記光ビームを前記トラックに沿って走査する走査器と、
前記光ディスクからの再生信号を基にＲＦ信号を検出するＲＦ信号検出器と、
前記ＲＦ信号を基に、前記光ビームと前記トラックとの位置ずれを示す信号として、前記第１のピット列に基づくＣＡＰＡ１の信号振幅と前記第２のピット列に基づくＣＡＰＡ２の信号振幅を検出するＣＡＰＡ部信号検出器とを備え、
前記走査器に任意の第１のラジアルチルトを設定して、ランドトラック上のＣＡＰＡ１の信号振幅とＣＡＰＡ２の信号振幅の差分量を検出するとともに、グルーブトラック上のＣＡＰＡ１の信号振幅とＣＡＰＡ２の信号振幅の差分量を検出し、
前記第１のラジアルチルトとは異なる第２のラジアルチルトを前記走査器に設定して、ランドトラック上のＣＡＰＡ１の信号振幅とＣＡＰＡ２の信号振幅の差分量を検出するとともに、グルーブトラック上のＣＡＰＡ１の信号振幅とＣＡＰＡ２の信号振幅の差分量を検出し、
前記第１のラジアルチルトおよび前記第２のラジアルチルトとは異なる第３、・・・、第ｎのラジアルチルトを前記走査器に設定して、ランドトラック上のＣＡＰＡ１の信号振幅とＣＡＰＡ２の信号振幅の差分量を検出するとともに、グルーブトラック上のＣＡＰＡ１の信号振幅とＣＡＰＡ２の信号振幅の差分量を検出することにより、
ラジアルチルトに対するＣＡＰＡ１とＣＡＰＡ２の信号振幅差分量の関係から求めた１次関数近似式をランドトラックとグルーブトラックで各々求めて最適なラジアルチルト値を検出し、そのラジアルチルト値を設定する
ことを特徴とするチルト補正制御装置。
【請求項２】
前記光ディスクと前記光ビームとのラジアルチルトずれ量を記憶するメモリを有し、
前記光ディスクと前記光ビームとの計測されたラジアルチルトずれ量に対して、前記メモリからの情報を基にラジアルチルトの変化させる量を制限するよう指示するマイクロコンピュータを備えた
ことを特徴とする請求項１記載のチルト補正制御装置。
【請求項３】
円形状ディスク体で、ディスク周方向に沿って設けられたトラックの中心からディスク径方向の一方側にずれて設けられた第１のピット列と、前記トラックの中心からディスク径方向の他方側にずれて設けられた第２のピット列とを有する光ディスクに対して、光ビームを照射して、前記光ディスクに記録されている情報を再生信号として検出する再生信号検出器と、
前記光ビームを前記トラックに沿って走査する走査器と、
前記光ディスクからの再生信号を基にＲＦ信号を検出するＲＦ信号検出器と、
前記光ディスクからの再生信号を基にウォブル信号を検出するウォブル信号検出器と、
前記ＲＦ信号または前記ウォブル信号を基に、前記光ビームと前記トラックとの位置ずれを示す信号として、前記第１のピット列に基づくＣＡＰＡ１の信号振幅と前記第２のピット列に基づくＣＡＰＡ２の信号振幅を検出するＣＡＰＡ部信号検出器とを備え、
前記走査器に任意の第１のラジアルチルトを設定して、ランドトラック上のＣＡＰＡ１の信号振幅とＣＡＰＡ２の信号振幅の差分量を検出するとともに、グルーブトラック上のＣＡＰＡ１の信号振幅とＣＡＰＡ２の信号振幅の差分量を検出し、
前記第１のラジアルチルトとは異なる第２のラジアルチルトを前記走査器に設定して、ランドトラック上のＣＡＰＡ１の信号振幅とＣＡＰＡ２の信号振幅の差分量を検出するとともに、グルーブトラック上のＣＡＰＡ１の信号振幅とＣＡＰＡ２の信号振幅の差分量を検出し、
前記第１のラジアルチルトおよび前記第２のラジアルチルトとは異なる第３、・・・、第ｎのラジアルチルトを前記走査器に設定して、ランドトラック上のＣＡＰＡ１の信号振幅とＣＡＰＡ２の信号振幅の差分量を検出するとともに、グルーブトラック上のＣＡＰＡ１の信号振幅とＣＡＰＡ２の信号振幅の差分量を検出することにより、
ラジアルチルトに対するＣＡＰＡ１とＣＡＰＡ２の信号振幅差分量の関係から求めた１次関数近似式をランドトラックとグルーブトラックで各々求めて最適なラジアルチルト値を検出し、そのラジアルチルト値を設定するよう構成し、
前記ＣＡＰＡ１の信号振幅と前記ＣＡＰＡ２の信号振幅との比較に基づいて、前記光ディスクと前記光ビームとのラジアルチルトずれ量を計測する際に、前記ＲＦ信号と前記ウォブル信号の２つの出力結果を用いてチルト量を検出する
ことを特徴とするチルト補正制御装置。
【請求項４】
前記光ディスクと前記光ビームとのラジアルチルトずれ量を計測する際に、検出するＲＦ信号として、前記光ディスクの情報を読み出すのに用いられるＲＦ出力を用いるか、フォーカス及びトラッキング誤差信号を生成するために前記光ピックアップから出力される信号を加算したＡＳ信号を用いるかを選択可能にする
ことを特徴とする請求項１または請求項３に記載のチルト補正制御装置。
【請求項５】
円形状ディスク体で、ディスク周方向に沿って設けられたトラックの中心からディスク径方向の一方側にずれて設けられた第１のピット列と、前記トラックの中心からディスク径方向の他方側にずれて設けられた第２のピット列とを有する光ディスクに対して、前記トラックに沿って光ビームを走査しつつ照射して、前記光ディスクに記録されている情報を再生信号として検出しながら前記光ディスクと前記光ビームとのラジアルチルトずれを補正するチルト補正制御方法であって、
前記光ディスクと前記光ビームとのラジアルチルトずれを、前記光ビームと前記トラックとの位置ずれを示す信号である前記第１のピット列に基づくＣＡＰＡ１の信号振幅と前記第２のピット列に基づくＣＡＰＡ２の信号振幅の差分量として検出し、その検出結果を出力するステップと、
前記ラジアルチルトずれの検出結果に基づいて前記光ビームの前記トラック上での目標位置を設定したうえで、当該目標位置を前記光ビームが追随するように前記光ビームの走査を制御するチルト制御ステップとを有する
ことを特徴とするチルト補正制御方法。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
また、本発明の請求項２記載のチルト補正制御装置は、前記光ディスクと前記光ビームとのラジアルチルトずれ量を記憶するメモリを有し、前記光ディスクと前記光ビームとの計測されたラジアルチルトずれ量に対して、前記メモリからの情報を基にラジアルチルトの変化させる量を制限するよう指示するマイクロコンピュータを備えたことを特徴とする。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】変更
【補正の内容】
【００２３】
また、本発明の請求項３記載のチルト補正制御装置は、円形状ディスク体で、ディスク周方向に沿って設けられたトラックの中心からディスク径方向の一方側にずれて設けられた第１のピット列と、前記トラックの中心からディスク径方向の他方側にずれて設けられた第２のピット列とを有する光ディスクに対して、光ビームを照射して、前記光ディスクに記録されている情報を再生信号として検出する再生信号検出器と、前記光ビームを前記トラックに沿って走査する走査器と、前記光ディスクからの再生信号を基にＲＦ信号を検出するＲＦ信号検出器と、前記光ディスクからの再生信号を基にウォブル信号を検出するウォブル信号検出器と、前記ＲＦ信号または前記ウォブル信号を基に、前記光ビームと前記トラックとの位置ずれを示す信号として、前記第１のピット列に基づくＣＡＰＡ１の信号振幅と前記第２のピット列に基づくＣＡＰＡ２の信号振幅を検出するＣＡＰＡ部信号検出器とを備え、前記走査器に任意の第１のラジアルチルトを設定して、ランドトラック上のＣＡＰＡ１の信号振幅とＣＡＰＡ２の信号振幅の差分量を検出するとともに、グルーブトラック上のＣＡＰＡ１の信号振幅とＣＡＰＡ２の信号振幅の差分量を検出し、前記第１のラジアルチルトとは異なる第２のラジアルチルトを前記走査器に設定して、ランドトラック上のＣＡＰＡ１の信号振幅とＣＡＰＡ２の信号振幅の差分量を検出するとともに、グルーブトラック上のＣＡＰＡ１の信号振幅とＣＡＰＡ２の信号振幅の差分量を検出し、前記第１のラジアルチルトおよび前記第２のラジアルチルトとは異なる第３、・・・、第ｎのラジアルチルトを前記走査器に設定して、ランドトラック上のＣＡＰＡ１の信号振幅とＣＡＰＡ２の信号振幅の差分量を検出するとともに、グルーブトラック上のＣＡＰＡ１の信号振幅とＣＡＰＡ２の信号振幅の差分量を検出することにより、ラジアルチルトに対するＣＡＰＡ１とＣＡＰＡ２の信号振幅差分量の関係から求めた１次関数近似式をランドトラックとグルーブトラックで各々求めて最適なラジアルチルト値を検出し、そのラジアルチルト値を設定するよう構成し、前記ＣＡＰＡ１の信号振幅と前記ＣＡＰＡ２の信号振幅との比較に基づいて、前記光ディスクと前記光ビームとのラジアルチルトずれ量を計測する際に、前記ＲＦ信号と前記ウォブル信号の２つの出力結果を用いてチルト量を検出することを特徴とする。
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】変更
【補正の内容】
【００２９】
また、本発明の請求項４記載のチルト補正制御装置は、請求項１または請求項３に記載のチルト補正制御装置であって、前記光ディスクと前記光ビームとのラジアルチルトずれ量を計測する際に、検出するＲＦ信号として、前記光ディスクの情報を読み出すのに用いられるＲＦ出力を用いるか、フォーカス及びトラッキング誤差信号を生成するために前記光ピックアップから出力される信号を加算したＡＳ信号を用いるかを選択可能にすることを特徴とする。
【手続補正２０】
【補正対象書類名】明細書
【補正対象項目名】００３０
【補正方法】変更
【補正の内容】
【００３０】
また、本発明の請求項５記載のチルト補正制御方法は、円形状ディスク体で、ディスク周方向に沿って設けられたトラックの中心からディスク径方向の一方側にずれて設けられた第１のピット列と、前記トラックの中心からディスク径方向の他方側にずれて設けられた第２のピット列とを有する光ディスクに対して、前記トラックに沿って光ビームを走査しつつ照射して、前記光ディスクに記録されている情報を再生信号として検出しながら前記光ディスクと前記光ビームとのラジアルチルトずれを補正するチルト補正制御方法であって、前記光ディスクと前記光ビームとのラジアルチルトずれを、前記光ビームと前記トラックとの位置ずれを示す信号である前記第１のピット列に基づくＣＡＰＡ１の信号振幅と前記第２のピット列に基づくＣＡＰＡ２の信号振幅の差分量として検出し、その検出結果を出力するステップと、前記ラジアルチルトずれの検出結果に基づいて前記光ビームの前記トラック上での目標位置を設定したうえで、当該目標位置を前記光ビームが追随するように前記光ビームの走査を制御するチルト制御ステップとを有することを特徴とする。
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】